(57)【要約】【解決手段】布地又はファブリック（２）であって、第１の光放出構成要素（４）と、第２の感圧構成要素（６）とを備え、第１の構成要素を介して第２の構成要素に加えられた適用圧力のパラメータに依存して、出力信号を放出するように構成されている出力装置を備えている。【選択図】図２
2008542566.tif 000002
【特許請求の範囲】
【請求項１】
布地又はファブリック（２）であって、
第１の光放出構成要素（４）と、
第２の感圧構成要素（６）と、を備え、
第１の構成要素が、
第１の構成要素を介して第２の構成要素に加えられた適用圧力のパラメータに依存して、出力信号を放出するように構成されている出力装置、を備えている、
ことを特徴とする布地又はファブリック。
【請求項２】
出力信号は、適用圧力の位置に依存している、
請求項１に記載の布地又はファブリック（２）。
【請求項３】
出力信号は、適用圧力の大きさに依存している、
請求項１又は２に記載の布地又はファブリック（２）。
【請求項４】
電源をさらに備えている、
請求項１又は２に記載の布地又はファブリック（２）。
【請求項５】
第１の構成要素は、複数の出力装置を備えている、
先行するいずれかの請求項に記載の布地又はファブリック（２）。
【請求項６】
各出力装置のそれぞれが、発光ダイオード（１００）を備えている、
請求項５に記載の布地又はファブリック（２）。
【請求項７】
感圧構成要素（６）は、圧電抵抗材料を備えている、
請求項１ないし６のいずれか１項に記載の布地又はファブリック（２）。
【請求項８】
第２の構成要素（４２）は、第１の構成要素に含浸された、感圧材料を備えている、
請求項１ないし７のいずれか１項に記載の布地又はファブリック（３０）。
【請求項９】
第２の構成要素は、複数の感圧糸（８２）を備えている、
請求項１ないし８のいずれか１項に記載の布地又はファブリック（５０）。
【請求項１０】
第２の構成要素は、複数のたて糸（３８，４０）及び複数のよこ糸（３８，４０）とから構成された布地又はファブリックを備えている、
請求項１ないし９のいずれか１項に記載の布地又はファブリック（３０）。
【請求項１１】
第２の構成要素は、それぞれが導電性である、たて糸及びよこ糸の第１の組（３８）を備えている、
請求項９に記載の布地又はファブリック（３０）。
【請求項１２】
第２の構成要素は、それぞれが非導電性である、たて糸及びよこ糸（４０）の第２の組を備えている、
請求項１０又は１１に記載の布地又はファブリック（３０）。
【請求項１３】
第１の構成要素は、それぞれが導電性である、たて糸及びよこ糸の第１の組を備えている、
請求項１ないし１２のいずれか１項に記載の布地又はファブリック。
【請求項１４】
出力装置の動作を制御するためのコントローラ（１８）をさらに備えている、
請求項１ないし１３のいずれか１項に記載の布地又はファブリック（２）。
【請求項１５】
コントローラは、第１の組のたて糸の少なくともいくつかに接続された第１のデマルチプレクサ（１４）と、第１の組のよこ糸の少なくともいくつかに接続された第２のデマルチプレクサとをさらに備えている、
請求項４又は請求項１４又はこれらに従属した任意の請求項に従属した請求項１４に記載の布地又はファブリック（２）。
【請求項１６】
接触感知式の光放出布地（２）の製造方法であって、
少なくともいくつかが導電性である、交差するたて糸とよこ糸から形成された布地を備えてなる、第１の構成要素（４）を形成する段階と、
前記第１の構成要素の外面に少なくとも一つの出力装置（１００）を取り付ける段階であって、前記出力装置が第１の構成要素のたて糸及びよこ糸に接続される段階と、
少なくともいくつかの糸が導電性である、交差するたて糸とよこ糸から形成された、第２の構成要素（１６）を形成する段階と、
第２の構成要素に感圧性の構成要素を組み入れる段階と、
第１の構成要素の外面にはユーザがアクセス可能であるように、第１の構成要素を第２の構成要素に取り付ける段階と、を備えている、
ことを特徴とする方法。
【請求項１７】
方法がさらに、出力データを発生させるために、布地に適用される圧力に応答して、いずれかの第２のたて糸及びよこ糸に流れる電流を測定する段階と、第１の組のたて糸及びよこ糸を介して、出力装置を駆動するために、出力データを使用する段階と、を備えている、
請求項１６に記載の方法。
【発明の詳細な説明】
【技術分野】
【０００１】
本発明は、布地又はファブリックに関し、特に、接触感知式光放出布地装置に組み込むのに適した布地又はファブリック、及びこのような布地又はファブリックの製造方法に関する。
【背景技術】
【０００２】
公知の接触感知式の表示装置は、表示領域にかぶせて重ねられる透明又は半透明の接触感知フィルムを備えている。このようなフィルムは、例えば、容量性のセンサの機能を備えた、透明な導体から構成されている。
【０００３】
信頼できる接触感知フィルムを、表示領域にかぶせて確実に配置するためには、表示領域が形成された基板は、滑らかで均質でなければならない。
布地の表面は、定義によれば、滑らかでも均質でもない。
【０００４】
織られた布地は、国際公開ＷＯ ０３／０９５７２９号公報に開示されている。この公報に開示された布地は、布地のたて糸とよこ糸との両方に複数の電気絶縁糸及び／又は電気導電糸から作られた、複数の布地の層から構成される。布地の複数の層内に形成されたキャビティに配置された、１又は複数の回路キャリアによって、電気的な機能が提供される。
【０００５】
国際公開ＷＯ ２００５／００１６７８号公報が開示している装置は、接触感知スイッチを有する布地構造のインターフェースを備えている。スイッチは、１又は複数の導電繊維を凹部に象眼することで形成されている。
【０００６】
米国特許公開第２００４／０１２０６８４号公報が開示している装置では、光学導波管の各組の一部に、応力ルミネセンス材料が設けられている。光学導波管は、応力ルミネセンス材料が存在する交差部分に、互いに交差して配置されている。応力は、２本の光学導波管の間の交差部分を、指で押すことで、応力ルミネセンス材料に加えられる。これは、ルミネセンスを放出する応力を、ルミネセンス材料に引き起こす。放出された光は、交差する各導波管に案内される。
【発明の開示】
【発明が解決しようとする課題】
【０００７】
本発明の目的は、布地に加えられた圧力の少なくとも一つのパラメータに依存した、光出力を有する光放出布地を提供することである。
【課題を解決するための手段】
【０００８】
本発明の第１の態様によって提供される、布地又はファブリックは、
第１の光放出構成要素と、
第２の感圧構成要素と、を備え、
第１の構成要素が、
第１の構成要素を介して第２の構成要素に加えられた適用圧力のパラメータに依存して、出力信号を放出するように構成されている出力装置、
を備えていることを特徴とする。
【０００９】
本願において、「布地」という用語は、「ファブリック」を含むものと理解され、逆もまた同様である。
好ましくは、第１の構成要素は、布地を備えている。
【００１０】
従って、本発明の第１の態様による布地は、第１の構成要素を介して、布地又はファブリックの第２の構成要素に加えられた適用圧力のパラメータに依存して、出力信号を放出することができる。本発明の第１の態様の重要な特徴は、圧力を加える人物又は装置が、第２の構成要素に直接的に接触しないことである。換言すると、本発明の使用において、布地を使用するとき、ユーザとのインターフェースは、第１の構成要素である。
【００１１】
布地を使用する人物は、例えば、第１の構成要素の一部分を押圧し、これによって、第１の構成要素を介して第２の構成要素に圧力を加える。本発明の第１の態様による布地は、第２の構成要素に加えられた圧力のパラメータに依存した、出力信号を放出する。
【００１２】
第１の構成要素は、複数の出力装置を備えているのが有利である。
各出力装置は、光学出力信号を有している。各出力装置は、発光ダイオード（ＬＥＤ）を備えているのが好ましい。
第２の構成要素は、第２の構成要素に含浸された感圧材料を備えていると都合が良い。
【００１３】
変形例としては、第２の構成要素は、複数の感圧糸を備え、それぞれの糸は、感圧抵抗又は圧電抵抗の材料から構成されている。
感圧構成要素は、感圧抵抗材料を備えている。第１の構成要素を介して第２の構成要素に圧力が加えられると、感圧構成要素は、感圧構成要素に加えられた圧力に依存した電流を発生させるのが有利である。
【００１４】
第２の構成要素は、複数のたて糸と複数のよこ糸とを備えてなる、布地又はファブリックから構成されているのが有利である。たて糸とよこ糸とは、織られた布地を作成するために、公知の方法によって織り合わせられるのが有利である。
【００１５】
本願において、「たて糸」及び「よこ糸」という用語は、単に、布地シートの長さ方向と幅方向との方向に関して使用され、織機における布地の製造方法に、いかなる限定をも暗示するために使用されるものでない。加えて、本願においては、「たて糸（ヤーン）」と「よこ糸（ヤーン）」という用語は、交換可能である。
【００１６】
変形例としては、布地は、不織布であり、裁縫、刺繍、又は編み物などによって形成しても良い。
第２の構成要素を形成している、少なくともいくつかのたて糸と、少なくともいくつかのよこ糸とは、導電性である。
【００１７】
本願において、「導電性」という用語が糸の説明に使用される場合、糸が、糸の少なくとも外面に、電気導電性材料を有することを意味する。このような糸は、様々なタイプの構造を有し、例えば、別の材料の内部コアを有する。内部コアは、絶縁性の材料を含む。本願において定義される絶縁性の糸とは、少なくとも絶縁性の外面を有する糸であって、全体が絶縁性の材料から作られるか、または、導電性のコアを有している。
【００１８】
第１の構成要素は、複数のたて糸と複数のよこ糸とを備えてなる、布地又はファブリックから構成されているのが有利である。たて糸とよこ糸とは、織られた布地を作成するために、公知の方法によって織り合わせられる。
【００１９】
変形例としては、布地は、不織布であり、裁縫、刺繍、又は編み物などによって形成しても良い。
少なくともいくつかのたて糸と、少なくともいくつかのよこ糸とは、導電性である。
【００２０】
第１の構成要素を形成する布地には、任意の都合の良い箇所において、１又は複数の出力装置が取り付け可能になっている。しかしながら、出力装置は第１の構成要素の前面に取り付け可能であり、第１の構成要素における第２の面は、第２の構成要素と接触しているのが有利である。
【００２１】
異なるタイプの糸及び／又は繊維を使用して、第１及び第２の構成要素を形成しても良い。糸は、シングルフィラメント又はマルチフィラメントのタイプである。
【００２２】
第１及び第２の構成要素を形成するには、任意の適当な繊維又は糸を使用できる。例えば、導電性の糸としては、銅、ステンレス鋼、又は銀メッキされたポリアミドの繊維を使用しても良い。絶縁性の糸としては、ナイロン、綿、又はポリエステルの繊維を使用できる。
【００２３】
第１の構成要素は、本願と同日に出願された、我々の、発明の名称を「受動的及び能動的なマトリックスアドレッシングを可能にする、完全に布地の電極レイアウト("A Fully Textile Electrode Lay-out Allowing Passive and Active Matrix Addressing")」とする係属中の特許出願にクレームされ及び記載された布地から形成しても良い。
【００２４】
変形例としては、感圧構成要素は、導電性繊維の中間に配置された、複数の感圧糸を備えても良い。
第１の構成要素の出力信号は、加えられた圧力の位置に依存しているのが有利である。変形例としては、又はこれに加えて、出力信号は、加えられた圧力の大きさに依存している。
【００２５】
本発明による布地の可撓性の屈曲可能及び折曲可能な特性のために、第２の構成要素は、光放出ファブリックに加えられた圧力の位置を検索することができる。
布地は、第１及び第２の構成要素のそれぞれに接続可能な電源をさらに備えているのが有利である。
【００２６】
好ましくは、布地は、出力装置の動作を制御するためのコントローラをさらに備えている。
コントローラは、任意の都合の良い形態を採ることができ、例えば、マイクロプロセッサを備える。
【００２７】
第１及び第２の構成要素のそれぞれは、コントローラを介して電源に接続可能になっている。コントローラは、出力装置の動作を制御し、出力装置は、適用圧力のパラメータに依存した出力信号を放出する。
【００２８】
本発明のいくつかの実施形態においては、第１及び第２の構成要素は、電源に直接、接続しても良い。
【００２９】
コントローラは、複数の出力装置のどちらを作動させるのかを決定するのが有利である。コントローラは、適用圧力が布地に加えられた箇所に配置された、または、同箇所の近くに配置された、出力装置を作動させるのが有利である。
【００３０】
換言すると、本発明による布地に触れると、布地に接触した位置、または、それに近い位置から、光が放出される。
【００３１】
本発明による布地は、様々な用途に使用することができる。それは、例えば、チックタックトーなどのゲームに使用されるか、または、ユーザが布地の上でイラストを作るのを許容するように使用される。さらに、本発明による布地の接触感知性は、「はい／いいえ」のボタンなど、様々な異なる相互作用に使用しても良い。
【００３２】
第１の構成要素を形成する、織られた布地におけるよこ糸の解像度に依存して、圧力が加えられた位置は、互いに交差した、少なくとも一つの導電性のたて糸と、一つの導電性のよこ糸とを取り囲む。
【００３３】
コントローラはさらに、第２の構成要素における少なくともいくつかの導電性のたて糸に接続された第１のデマルチプレクサと、第２の構成要素における少なくともいくつかの導電性のよこ糸に接続された第２のデマルチプレクサとを備えるのが有利である。
【００３４】
コントローラは、第１及び第２のデマルチプレクサを制御するように適合し、第２の構成要素における少なくとも一つの導電性のよこ糸と、一つの導電性のたて糸とを電源に接続させる。
【００３５】
第２の構成要素における少なくとも一つのたて糸及びよこ糸を流れ始めた電流は、布地に加えられた圧力に応答して、例えば、電源に直列に設けられた抵抗器を用いて測定される。
布地はさらに、出力装置ドライバを備えるのが有利である。
【００３６】
第１の構成要素が複数の発光ダイオードを備えている場合、コントローラは、第１の構成要素を駆動して、１又は複数の発光ダイオードを照明させ、照明される発光ダイオードの数及び位置、および、発光ダイオードの照明の強度は、適用圧力の位置及び／又は大きさに依存する。
【００３７】
出力装置のドライバは、コントローラによって駆動され、布地に加えられた圧力の結果、第２の構成要素で測定される電流に応答して、第１の構成要素の一部分を形成している出力装置を個々にアドレスするのが有利である。
【００３８】
好ましい実施形態においては、出力装置ドライバは、複数のＬＥＤを駆動する、マトリックスＬＥＤドライバから構成される。コントローラからＬＥＤドライバが受信した入力信号によって、第１の構成要素に加えられた圧力の位置及び／又は大きさに応答して、１又は複数のＬＥＤが作動させられる。
【００３９】
１又は複数の出力装置は、導電性のたて糸と導電性のよこ糸との間の交差点に対応する位置で、第１の構成要素に取り付けられるのが有利である。
【００４０】
これは、導電性のたて糸及び導電性のよこ糸がコントローラを介して電源に接続されたとき、圧力を加えた箇所に対応する位置をもった出力装置が作動させられることを意味している。
【００４１】
本発明の第３の態様によって提供される、接触感知式の光放出布地の製造方法は、
少なくともいくつかの糸が導電性である、交差するたて糸とよこ糸から形成された布地を備えてなる、第１の構成要素を形成する段階と、
第１の構成要素の外面に少なくとも一つの出力装置を取り付ける段階であって、出力装置は、第１の構成要素のたて糸及びよこ糸に接続される段階と、
少なくともいくつかの糸が導電性である、交差するたて糸とよこ糸から形成された、第２の構成要素（１６）を形成する段階と、
第２の構成要素に感圧性の構成要素を組み入れる段階と、
第１の構成要素の外面にはユーザがアクセス可能であるように、第１の構成要素を第２の構成要素に取り付ける段階と、
を備えていることを特徴とする。
【００４２】
方法はさらに、
出力データを発生させるために、布地に適用される圧力に応答して、いずれかの第２のたて糸及びよこ糸に流れる電流を測定する段階と、
第１の組のたて糸及びよこ糸を介して、出力装置を駆動するために、出力データを使用する段階と、を備えているのが有利である。
【００４３】
以下、本発明について、添付図面を参照して、単なる例示としてさらに詳しく説明する。
【発明を実施するための最良の形態】
【００４４】
図１を参照すると、本発明のひとつの態様による、布地又はファブリックの全体を符号２で示している。ファブリック２は、詳しくは後述するように、接触感知光放出布地装置を形成するのに適している。
【００４５】
ファブリックは、光放出ファブリックからなる第１の構成要素４と、感圧構成要素からなる第２の構成要素６とを備えている。光放出ファブリック４と、感圧構成要素６との両方は、コネクタ１０によって電源８に接続されている。
【００４６】
次に、図２を参照すると、ファブリックがさらに詳しく示されており、全体を符号１２で示した接触感知光放出布地装置の一部分を形成している。図１に示した部分に対応するファブリック２の部分には、参照を容易にするため、対応する参照符号を付している。感圧構成要素６は、詳しくは後述するように、複数のよこ糸及びたて糸を備えている。少なくともいくつかのよこ糸は、第１のデマルチプレクサ１４に接続可能になっていて、少なくともいくつかのたて糸は、第２のデマルチプレクサ１６に接続可能になっている。デマルチプレクサ１４，１６は、マイクロプロセッサ１８によって制御されるが、他のコントローラを使用しても良い。マイクロプロセッサ１８は、接触感知光放出布地装置１２の要求条件に従って、デマルチプレクサを制御し、よこ糸及びたて糸は電源８に接続される。
【００４７】
人が、光放出布地層４を介して接触感圧層６に圧力を加えることで、ファブリック２に圧力が加えられると、電流が発生して、電流は抵抗器２０を用いて測定される。電流は、光放出布地層４を介して接触感圧層６に加えられた圧力の大きさと位置とに依存する。
【００４８】
光放出布地層４は、複数のたて糸とよこ糸とから構成された、織られたファブリックを備えている。少なくともいくつかのたて糸及びよこ糸は導電性である。第１の構成要素４はさらに、光学出力装置などの複数の出力装置を備えている。例えば、第１の構成要素４は、複数の発光ダイオード（ＬＥＤ）を備えている。各ＬＥＤは、導電性のたて糸と、導電性のよこ糸とに接続されている。第１の構成要素４におけるたて糸とよこ糸とは、公知の方法で、互いに交差している。従って、各ＬＥＤは、たて糸及びよこ糸の特定の対に接続されている。
【００４９】
ユーザがファブリック２に触れると、接触感圧構成要素６は、ファブリック２に圧力が加えられた箇所で交差している、対をなすたて糸とよこ糸との間に電流を発生させる。
各よこ糸及びたて糸を連続的にスキャンすることで、適用圧力についての完全な二次元のマップを決定できる。抵抗器２０の両端の電圧は、アナログデジタルコンバータ２２を用いてデジタル化される。
【００５０】
各たて糸及びよこ糸のスキャンに関係した信号は、マイクロプロセッサ１８へと送られる。マイクロプロセッサ１８は次に、マトリックスＬＥＤドライバ２４の動作を制御する。ドライバ２４は、ファブリック２に加えられた圧力に応答して、１又は複数の所定のＬＥＤを指定するようにプログラムされている。
【００５１】
デジタル信号はマイクロプロセッサ１８に送られ、マイクロプロセッサは、装置１２に多くの異なる用途を持たせるように、ソフトウェアを実行する。例えば、装置は、多数の異なるゲームを装置上で遊べるように構成され、または、人が装置上にパターンを描けるように構成される。後者の場合には、ユーザは、ダミーペンシルを用いて、装置１２上にパターンを描く。ペンシルがファブリックに触れると、第２の構成要素は、これを登録し、接触された領域の出力は、２４によってスイッチオンされる。
【００５２】
得られた装置１２は、ソフトで完全にフレキシブルなインターフェース、表示装置、又は照明源を提供する。
また、光放出布地層４は、導電性の行と列とを含む、織られた布地を備え、詳しくは後述するように、光放出領域を受動的又は能動的にマトリックス指定する。
【００５３】
次に図３、図４、及び図５を参照すると、装置１２の一部分を形成している、本発明の第１の態様による布地の第２の構成要素の実施形態がより詳しく示されている。
【００５４】
最初に図３ａ及び図３ｂを参照すると、装置１２の一部分を形成する、第２の構成要素又は感圧層の全体を参照符号３０で示している。感圧層３０は、導電性である第１の組のたて糸及びよこ糸３８と、絶縁性である第２の組のたて糸及びよこ糸３０［■符号？］とを備えている。糸３８，４０は、感圧抵抗インクの形態である第２の構成要素４２に含浸されている。感圧構成要素４２が矢印４４の方向に押圧されると、圧力がファブリックに加えられた箇所で、インクは局所的に導電性になる。これは、１又は複数の導電性のよこ糸から、１又は複数の導電性のたて糸へと、電流を流れさせる。
【００５５】
図４ａ及び図４ｂを参照すると、本発明の第１の態様による、布地の一部分を形成する、感圧層の全体を参照符号５０で示している。層５０は、導電性のたて糸及びよこ糸５２と、絶縁性のたて糸及びよこ糸５４と、糸５２，５４を含浸する抵抗インクとを備えている。層５０は、３つの層５８，６０，６２を備えている。層６０は、絶縁性の糸だけを備え、導電性の糸を備えず、一方、層５８，６２は、導電性の糸と絶縁性の糸との両方を備えている。層６０は、層５８と層６２との間に配置され、従って、２つの層５８，６２の間に絶縁を提供し、層５０が短絡することを防止する。ファブリックが矢印５１の方向に押圧されると、ファブリックに圧力が加えられた箇所で、抵抗インクは局所的に導電性になる。これは、１又は複数の導電性のよこ糸から、１又は複数の導電性のたて糸へと、電流を流させる。
【００５６】
次に図５を参照すると、本発明の第１の態様による、布地を形成する、第３の実施形態の感圧層の全体を参照符号７０で示している。層７０は、３つの層の糸７２，７４，７６から構成されている。各層７２，７６は、導電性の糸７８と絶縁性の糸８０との両方を備えている。
【００５７】
層７４は、層７２と層７６との間に配置され、感圧抵抗材料から形成された糸８２から構成されている。糸８２は、全体が感圧抵抗材料から構成されるか、または、このような感圧抵抗材料で含浸され又は充分にコーティングされた繊維から構成される。
【００５８】
次に図６及び図７を参照すると、模式的に示された、本発明の第２の態様によるファブリックは、二重層の織られたファブリックから構成され、その全体を参照符号９０で示している。ファブリック９０は、２つの層、すなわち、前（表面）の層９２と、裏の層９４とを備えている。図６に示した実線は、ファブリック９０の前（表面）の層９２における糸を示していて、破線は、ファブリック９０の裏の層９４における糸を示している。ファブリック９０は、導電性の糸９６と、絶縁性の糸９８とを備えている。ファブリックはさらに、複数の発光ダイオード１００を備え、この例においては、４×４の単一色の発光ダイオードの配列を形成している。ＬＥＤは、絶縁性の糸９８によって隔てられた、導電性の糸９６で互いに接続されている。
【００５９】
ファブリックの前側９２に圧力が加えられると、裏の層９４（図６には不図示）を形成する第２の構成要素を形成している感圧抵抗材料は、交差する導電性の糸の間に圧力が加えられた箇所で、電流を流させる。この電流は、図２に示したタイプの制御装置に送られる。特に、信号は、第１のデマルチプレクサ１４と、第２のデマルチプレクサ１６とに送られる（図２参照）。信号は、マイクロプロセッサで処理され、次に、マイクロプロセッサ１８を用いてマトリックスＬＥＤドライバを駆動し、複数の発光ダイオード１００を個々に指定する。
その結果、ＬＥＤは、圧力が加えられた箇所に対応する箇所で、作動させられる。
【００６０】
図３〜図７のそれぞれに示したファブリックは、図２に示した光放出布地ファブリック２を形成するために使用できる。このようなファブリック２は、本発明の第２の態様による、図２に示された、接触感知光放出装置を形成するために使用できる。
【００６１】
前述したように、本発明の第２の態様による布地又はファブリックは、一体的な多層ファブリックとして形成される。好ましくは、ファブリックは織られる。
【００６２】
従って、ファブリック１３０は、光放出構成要素である第１の構成要素と、感圧構成要素である第２の構成要素とを備える。従って、一体的なファブリックは、図２に示した２層のファブリック２に置き換えても良い。
【図面の簡単な説明】
【００６３】
【図１】図１は、本発明の第３の態様による接触感知光放出布地を形成するのに適した、本発明の第１の態様による実施形態の布地を示した模式図である。
【図２】図２は、本発明の態様による他の実施形態の布地を示した模式的なブロック図である。
【図３ａ】図３ａは、実施形態による第２の構成要素を示した横断面図であって、本発明の第１の態様による布地の一部分を形成している２層の織られた構造を示している。
【図３ｂ】図３ｂは、図３ａの第２の構成要素について、その前面を示した模式図である。
【図４ａ】図４ａは、本発明の第１の態様による布地の一部分である、第２の実施形態による第２の構成要素を形成している３層の織られた構造を示している。
【図４ｂ】図４ｂは、図４ａの第２の構成要素について、その前面を示した模式図である。
【図５】図５は、本発明の第１の態様による布地の一部分を形成している、第３の実施形態による第２の構成要素を示した断面図である。
【図６】図６は、本発明の第２の態様による実施形態の布地を示した模式図であって、片面に４×４の単一色のＬＥＤ配列を収容した、２層の織られたファブリックを備えている。
【図７】図７は、図６の織られたファブリックを、よこ糸ａに沿って示した横断面図である。
【図１】
2008542566.tif 000003
【図２】
2008542566.tif 000004
【図３ａ】
2008542566.tif 000005
【図３ｂ】
2008542566.tif 000006
【図４ａ】
2008542566.tif 000007
【図４ｂ】
2008542566.tif 000008
【図５】
2008542566.tif 000009
【図６】
2008542566.tif 000010
【図７】
2008542566.tif 000011
【国際調査報告】
2008542566.tif 000012
2008542566.tif 000013